(57)【要約】【課題】サイズが小さく、望遠から広角までの視角で撮影できる機能を備え、かつ光学的結像性能に優れたズームレンズを提供する。【解決手段】被写体側から集光用で、且つ負の屈折率を有し、固定して設けられる第１レンズセットと、正の屈折率を有し、レンズの結像側の面にハイブリッド樹脂層２１を形成したハイブリッドレンズ２０を含む第２レンズセットと、正の屈折率を有する被写体側の面にはハイブリッド樹脂層３２を形成した接合レンズ３０を含む第３レンズセットと、正の屈折率を有する第４レンズセットとを配設してなり、ズームレンズ全体の長さを固定して、第２レンズセットと第３レンズセットの位置を変化させてレンズの焦点距離を変え、且つ第４レンズセットの位置を変化させて焦点を調整し、結像面の移動を補償するように構成する。【選択図】図１
2007047783.tif 000002
【特許請求の範囲】
【請求項１】
被写体側から結像側に向かって配設される、負の屈折率を有する第１レンズセットと、正の屈折率を有する第２レンズセットと、正の屈折率を有する第３レンズセットと、正の屈折率を有する第４レンズセットとを含むズームレンズであって、
前記第１レンズセットは集光のために用いられ、固定して移動しないようにし、
前記第２レンズセットはハイブリッドレンズを含み、レンズの結像側の面にハイブリッド樹脂層を形成してなり、
前記第３レンズセットは接合レンズを含んでなり、前記接合レンズの被写体側の面にはハイブリッド樹脂層を形成してなり、
前記ズームレンズ全体の長さを固定して、前記第２レンズセットと前記第３レンズセット位置を変化させることによってレンズの焦点距離を変化させ、且つ前記第４レンズセットの位置を変化させることによって、焦点を変化させることによって発生する結像面の移動を補償し、結像面の位置が固定された状態を保持するように構成することを特徴とするズームレンズ。
【請求項２】
前記ズームレンズが、次に掲げる式１の関係を満足させるものであって、
前記式１におけるＦ１２Ｔが、遠焦点距離における前記第１レンズセットと前記第２レンズセットとの合成焦点距離であって、Ｆ３が第３レンズセットの焦点距離であることを特徴とする請求項１に記載のズームレンズ。
＜式１＞
【数１】
2007047783.tif 000020
【請求項３】
前記第４レンズセットと前記第３レンズとの関係が、次に掲げる式２における関係を満足させるものであって、且つ前記式２におけるＦ４が第４レンズセットの焦点距離であって、Ｆ３が第３レンズセットの焦点距離であることを特徴とする請求項２に記載のズームレンズ。
＜式２＞
【数２】
2007047783.tif 000021
【請求項４】
前記第１レンズセットが集光レンズを含み、前記集光レンズが非球面レンズであって、且つ被写体側の第１表面と、対向する第２表面を含むことを特徴とする請求項３に記載のズームレンズ。
【請求項５】
前記第２レンズセットがハイブリッドレンズを含み、前記ハイブリッドレンズが被写体側の第１表面と結像面側の第２表面を有し、前記ハイブリッドレンズの結像面を第２表面としてハイブリッド樹脂層を形成することを特徴とする請求項４に記載のズームレンズ。
【請求項６】
前記第２レンズセットのハイブリッドレンズの第１表面と第２表面の内、少なくとも一方の面が非球面であることを特徴とする請求項５に記載のズームレンズ。
【請求項７】
前記第３レンズセットが接合レンズとプラスチックレンズとを含むことを特徴とする請求項６に記載のズームレンズ。
【請求項８】
前記第３レンズセットの接合レンズが、正の屈折度を有する凸レンズと、負の屈折度を有する凹レンズとを接合してなり、前記接合レンズの被写体側の第１表面としてハイブリッド樹脂層を形成することを特徴とする請求項７に記載のズームレンズ。
【請求項９】
前記第３レンズセットのプラスチックレンズが前記被写体側の第１表面と結像面側の第２表面とを含み、そのうちの少なくとも一面が非球面であることを特徴とする請求項８に記載のズームレンズ。
【請求項１０】
前記第４レンズセットがプラスチックレンズを含み、前記プラスチックレンズが被写体側の第１表面と結像面側の第２表面を有し、且つその内の少なくとも一面が非球面であることを特徴とする請求項９に記載のズームレンズ。
【請求項１１】
前記ズームレンズが、次に掲げる式３の関係を満足させるものであって、
式３におけるＲ１２が、前記第３レンズセットのプラスチックレンズの第２表面の曲率半径であって、ＴＴが光学システム全長であることを特徴とする請求項１０に記載のズームレンズ。
＜式３＞
【数３】
2007047783.tif 000022
【請求項１２】
前記ズームレンズが、次に掲げる式４の関係を満足させるものであって、
前記式４におけるＲ３が、前記第２レンズセットのハイブリッドレンズの第１表面の曲率半径であって、ＴＴが光学システム全長であることを特徴とする請求項１１に記載のズームレンズ。
＜式４＞
【数４】
2007047783.tif 000023
【請求項１３】
前記第２レンズセットと、第３レンズセットとの間にはダイヤフラムを更に設けることを特徴とする請求項１２に記載のズームレンズ。
【請求項１４】
前記第４レンズと、前記結像面との間にガラスカバーか、もしくは赤外線フィルタを設けることを特徴とする請求項１３に記載のズームレンズ。
【請求項１５】
前記第１レンズセットの集光レンズがプラスチック材によってなるレンズであることを特徴とする請求項１４に記載のズームレンズ。
【請求項１６】
前記第２レンズセットのハイブリッドレンズが、ガラス材によってなるレンズであることを特徴とする請求項１５に記載のズームレンズ。
【発明の詳細な説明】
【技術分野】
【０００１】
この発明はズームレンズに関し、特に望遠から広角に至るまで撮影が可能であって、携帯電話機、小型のディジタルカメラに適し、サイズが小さく軽量のズームレンズに関する。
【背景技術】
【０００２】
一般のディジタルカメラの焦点調整可能のズームレンズは、従来の写真機、ビデオカメラと異なり、例えば撮影機能を備えた携帯電話機などの応用されるデバイスのサイズの制限を受ける。また、撮影機能を備えた携帯電話機に用いられるレンズのサイズは極めて小さく、かつかなり簡易な構造を有する。しかも、そのほとんどが固定フォーカスレンズであって、遠距離、近距離において撮影できる範囲に一定の制限がある。よって、従来の写真機のように焦点調整、焦点距離変更などの操作によって、最も好ましい撮影効果を得ることができない。例えば、アメリカ合衆国広告第６，６５０，４８６号、６，７４１，４０５号には、撮影機能を備える携帯電話機に適した固定フォーカスレンズの構造が開示される。
【０００３】
通信技術の発展にともなう、撮影機能を備える携帯電話機による画像の品質に対して要求がますます高くなってきた。この数年来、撮影機能を備える携帯電話機には結合荷電素子（Charge Coupled Device、ＣＣＤと略称する）、相補型金属酸化膜半導体（Complementary
Metal-Oxide Semiconductor、ＣＭＯＳと略称する）などの撮像素子を用いる技術によって、撮影機能を備える携帯電話機の画質は１０万画素、３５万画素から１３０万画素、さらには２００万画素の水準に至るまで高められた。しかしながら、撮影機能を備える携帯電話機に用いられるレンズは、そのほとんどが固定フォーカスレンズであるため、焦点距離が固定され、レンズの視角が固定されている。したがって、局部の範囲内に在る被写体を撮影しようとすれば、撮影距離を移動させなければならなく、使用上極めて不便である。また、ディジタルズームを採用すれば画質が低下する。ゆえに、光学的ズーム機能を備えるレンズを採用することは、目下の撮影機能を備える携帯電話機にとって、最優先すべき課題である。
【０００４】
目下、ズームレンズを小型化する計画が業界で数多く提案されている。例えば、キャノン株式会社がアメリカ合衆国に特許出願し、２００１年２月２０日を以って公告された特許第６，１９１，８９６号、及び２００１年５月１５日を以って公告された特許第６，２３３，０９９号には、屈折率がそれぞれ負、正、正、及び正である４つのレンズセットを備えたズームレンズが開示され、第１、第２、第３レンズセットの間の距離を変化させることによって近距離の視角による撮影を行うための焦点距離調整を達成する。
【０００５】
また、キャノン株式会社が中華人民共和国に特許出願し、２００３年２月５日を以って公開された公開第ＣＮ１３９５１４４Ａ号には、体積を縮小化したズームレンズが開示され、被写体側から負の屈折率を有する第１レンズセットと、正の屈折率を有する第２レンズセットと、位置が固定された第３レンズセットの順に配設し、第１レンズセットと第２レンズセットとの間の距離を変更することによってズーム効果を達成する。
【０００６】
しかしながら、上述する従来のズームレンズは、一般の撮影状態か遠距離の視角、もしくは近距離の視角に転換する場合、レンズ全体の長さが撮影状態の変化に従って変化する。このように、使用中に全体的な長さが変化することは、厚さががわずか２０ｍｍの撮影機能を備える携帯電話機には適さない。即ち、装置に取り付けることが難しいのみならず、携帯電話機を携帯する場合に他の物品との摩擦、衝突などが常時発生する。即ち、レンズのサイズの変化はレンズが予期しない破損を招く。しかも、上述する従来のズームレンズには、少なくとも６枚以上のレンズが用いられるため、コストが高くなるのみならず、重量が増えることも欠点となる。
【０００７】
また、フィリップスエレクトロニクス社が開発した携帯電話機用のサイズを微小化した液晶レンズは、互いに溶解することなく、かつ異なる屈折率を有する二種類の液体を透明の柱状の容器に注入し、これに印加して容器内の二種類の液体の極性を変化させ、表面張力の変化によって液体の界面形態を変化させて光を屈折させる目的を達成し、かつ電圧を変更することによって焦点の調整を行う。かかる製品は使用上の安定性、画像の品質、及び使用寿命などの指数について、さらにテストをする必要がある。したがって、短期間内に量産できる程度まで発展させることは難しいものと見られる。
【０００８】
したがって、望遠から広角までの視角で撮影できる機能を備え、かつサイズが小さく、軽量化された光学ズームレンズの開発が業界で望まれている。
【特許文献１】アメリカ合衆国特許第６，１９１，８９６号公報
【特許文献２】アメリカ合衆国特許第６，２３３，０９９号公報
【特許文献３】中華人民共和国特許公開第ＣＮ１３９５１４４Ａ号公報
【発明の開示】
【発明が解決しようとする課題】
【０００９】
この発明は、サイズが小さく、使用するレンズの数が少なく、かつ構造が緊密で、望遠から広角までの視角で撮影できる機能を備え、かつ光学的結像性能に優れたズームレンズを提供することを課題とする。
【課題を解決するための手段】
【００１０】
そこで、本発明者は従来の技術に見られる欠点に鑑み鋭意研究を重ねた結果、被写体側から結像側に向かって配設される、負の屈折率を有する第１レンズセットと、正の屈折率を有する第２レンズセットと、正の屈折率を有する第３レンズセットと、正の屈折率を有する第４レンズセットとを含むズームレンズであって、前記第１レンズセットは集光のために用いられ、固定して移動しないようにし、前記第２レンズセットはハイブリッドレンズを含み、レンズの結像側の面にハイブリッド樹脂層を形成してなり、前記第３レンズセットは接合レンズを含んでなり、前記接合レンズの被写体側の面にはハイブリッド樹脂層を形成してなり、前記ズームレンズ全体の長さを固定して、前記第２レンズセットと前記第３レンズセット位置を変化させることによってレンズの焦点距離を変化させ、且つ前記第４レンズセットの位置を変化させることによって、焦点を変化させることによって発生する結像面の移動を補償し、結像面の位置が固定された状態を保持するように構成するズームレンズによって課題を解決できる点に着眼し、かかる知見に基づいて本発明を完成させた。
【００１１】
以下、この発明について具体的に説明する。
請求項１に記載するズームレンズは、被写体側から結像側に向かって配設される負の屈折率を有する第１レンズセットと、正の屈折率を有する第２レンズセットと、正の屈折率を有する第３レンズセットと、正の屈折率を有する第４レンズセットとを含むズームレンズであって、前記第１レンズセットは集光のために用いられ、固定して移動しないようにし、前記第２レンズセットはハイブリッドレンズを含み、レンズの結像側の面にハイブリッド樹脂層を形成してなり、前記第３レンズセットは接合レンズを含んでなり、前記接合レンズの被写体側の面にはハイブリッド樹脂層を形成してなり、前記ズームレンズ全体の長さを固定して、前記第２レンズセットと前記第３レンズセット位置を変化させることによってレンズの焦点距離を変化させ、且つ前記第４レンズセットの位置を変化させることによって、焦点を変化させることによって発生する結像面の移動を補償し、結像面の位置が固定された状態を保持するように構成する。
【００１２】
請求項２に記載するズームレンズは、請求項１におけるズームレンズが、次に掲げる式１の関係を満足させるものであって、前記式１におけるＦ１２Ｔが、遠焦点距離における前記第１レンズセットと前記第２レンズセットとの合成焦点距離であって、Ｆ３が第３レンズセットの焦点距離である。
＜式１＞
【数１】
2007047783.tif 000003
【００１３】
請求項３に記載するズームレンズは、請求項２における第４レンズセットと前記第３レンズとの関係が、次に掲げる式２における関係を満足させるものであって、且つ前記式２におけるＦ４が第４レンズセットの焦点距離であって、Ｆ３が第３レンズセットの焦点距離である。
＜式２＞
【数２】
2007047783.tif 000004
【００１４】
請求項４に記載するズームレンズは、請求項３における第１レンズセットが集光レンズを含み、前記集光レンズが非球面レンズであって、且つ被写体側の第１表面と、対向する第２表面を含む。
【００１５】
請求項５に記載するズームレンズは、請求項４における第２レンズセットがハイブリッドレンズを含み、前記ハイブリッドレンズが被写体側の第１表面と結像面側の第２表面を有し、前記ハイブリッドレンズの結像面を第２表面としてハイブリッド樹脂層を形成する。
【００１６】
請求項６に記載するズームレンズは、請求項５における第２レンズセットのハイブリッドレンズの第１表面と第２表面の内、少なくとも一方の面が非球面である。
【００１７】
請求項７に記載するズームレンズは、請求項６における第３レンズセットが接合レンズとプラスチックレンズとを含む。
【００１８】
請求項８に記載するズームレンズは、請求項７における第３レンズセットの接合レンズが、正の屈折度を有する凸レンズと、負の屈折度を有する凹レンズとを接合してなり、前記接合レンズの被写体側の第１表面としてハイブリッド樹脂層を形成する。
【００１９】
請求項９に記載するズームレンズは、請求項８における第３レンズセットのプラスチックレンズが前記被写体側の第１表面と結像面側の第２表面とを含み、そのうちの少なくとも一面が非球面である。
【００２０】
請求項１０に記載するズームレンズは、請求項９における第４レンズセットがプラスチックレンズを含み、前記プラスチックレンズが被写体側の第１表面と結像面側の第２表面を有し、且つその内の少なくとも一面が非球面である。
【００２１】
請求項１１に記載するズームレンズは、請求項１０におけるズームレンズが、次に掲げる式３の関係を満足させるものであって、式３におけるＲ１２が、前記第３レンズセットのプラスチックレンズの第２表面の曲率半径であって、ＴＴが光学システム全長である。
＜式３＞
【数３】
2007047783.tif 000005
【００２２】
請求項１２に記載するズームレンズは、請求項１１におけるズームレンズが、次に掲げる式４の関係を満足させるものであって、式４におけるＲ３が、前記第２レンズセットのハイブリッドレンズの第１表面の曲率半径であって、ＴＴが光学システム全長である。
＜式４＞
【数４】
2007047783.tif 000006
【００２３】
請求項１３に記載するズームレンズは、請求項１２における第２レンズセットと、第３レンズセットとの間にはダイヤフラムを更に設ける。
【００２４】
請求項１４に記載するズームレンズは、請求項１３における第４レンズと、前記結像面との間にガラスカバーか、もしくは赤外線フィルタを設ける。
【００２５】
請求項１５に記載するズームレンズは、請求項１４における第１レンズセットの集光レンズがプラスチック材によってなるレンズである。
【００２６】
請求項１６に記載するズームレンズは、請求項１５における第２レンズセットのハイブリッドレンズが、ガラス材によってなるレンズである。
【発明の効果】
【００２７】
本発明のズームレンズは、サイズが小さく携帯電話機等の装置に適していて、３倍近い光学的焦点変更を達成できるとともに、十分な後焦点距離を備え、効率よく収差を補正し、好ましい画像の品質を提供できるという利点を有する。
【発明を実施するための最良の形態】
【００２８】
この発明は、携帯電話機などの小型の装置に適し、サイズが小さく軽量のズームレンズを提供するものであって、被写体側から結像側に向かって配設される、負の屈折率を有する第１レンズセットと、正の屈折率を有する第２レンズセットと、正の屈折率を有する第３レンズセットと、正の屈折率を有する第４レンズセットとを含むズームレンズであって、前記第１レンズセットは集光のために用いられ、固定して移動しないようにし、前記第２レンズセットはハイブリッドレンズを含み、レンズの結像側の面にハイブリッド樹脂層を形成してなり、前記第３レンズセットは接合レンズを含んでなり、前記接合レンズの被写体側の面にはハイブリッド樹脂層を形成してなり、ズームレンズ全体の長さを固定して、前記第２レンズセットと前記第３レンズセット位置を変化させることによってレンズの焦点距離を変化させ、且つ前記第４レンズセットの位置を変化させることによって、焦点を変化させることによって発生する結像面の移動を補償し、結像面の位置が固定された状態を保持するように構成することによって望遠から広角までの視角で撮影でき、好ましい画像の品質を提供するとともに、サイズの小さいズームレンズを提供するという目的を、実現した。
係る構成のズームレンズについて、その構造と特徴を詳述するために具体的な実施例を挙げ、以下に説明する。
【実施例】
【００２９】
図１、図２に、この発明によるズームレンズの光学的構造を開示する。図面によれば、ズームレンズは、被写体側から結象側に向かって、負の屈折度を有する第１レンズセット１と、正の屈折度を有する第２レンズセット２と、正の屈折度を有する第３レンズセット３と、正の屈折度を有する第４レンズセット４とを含む。第１レンズセット１は集光レンズ１０を含む。集光レンズ１０はプラスチック材によって成型してなり、レンズセットの最先端に固定されて集光を行う。また、集光レンズ１０は非球面レンズであって、少なくとも一面が非球面である。実施例において、被写体側の第１表面Ｒ１がやや窪んだ凹面を形成し、他方の第２表面Ｒ２も凹面を形成する。よって、この発明によるズームレンズは、広角の状態で７０度の視角を達成することができる。
【００３０】
第２レンズセット２は焦点距離を変更するために用いられ、ハイブリッドレンズ２０を含む。ハイブリッド樹脂層２１はレンズの被写体側、即ち第２表面Ｒ４に設けられる。またハイブリッドレンズ２０はガラス材によってなり、被写体側の第１表面Ｒ３は凸面であり、他方の第２表面Ｒ４は凹面である。さらに、ハイブリッドレンズ２０の第１表Ｒ３と第２表面Ｒ４は、少なくとも一方の面が非球面である。
【００３１】
第３レンズセットは上述する第２レンズセットに同期して移動し、焦点を変更する。接合レンズ３０と、プラスチックレンズ３１とを含み、接合レンズ３０は正の屈折率を有する凸レンズ３０１と負の屈折率を有する凹レンズ３０２とを組み合わせてなる。また、接合レンズ３の被写体側の面、即ち表面Ｒ８上にはハイブリッド樹脂層３２を形成する。第３レンズセット３の接合レンズ３０とプラスチックレンズ３１のうち、少なくとも一つが非球面レンズである。
【００３２】
第４レンズセット４は焦点変更によって発生する結像面の位置の移動を補償するために用いる。即ち、結像面の位置を常時固定して変化させないため、焦点を変更した後入射する光線が位置の固定した結像面にフォーカスされ、はっきりとした画像が得られる。第４レンズセットは、プラスチックレンズ４１を含み、プラスチックレンズ４１の第１表面Ｒ１３と第２表面Ｒ１４の内の少なくとも一面は非球面である。
【００３３】
また、第２レンズセット２と第３レンズセット３との間に、ダイヤフラム５を設けて入射する光線の量を制御する。第４レンズセット４と、結像面との間には、別途屈折度のないガラスカバー６（もしくは赤外線フィルタレンズ）を設ける。
【００３４】
この発明によるズームレンズの第１レンズセット１と、結像面の位置は固定する。よって、ズームレンズ全体の全長は固定されたものになる。従ってレンズは携帯電話機の構造に取り付けやすくなり、携帯電話機を使用する過程において、レンズが外部からの力を受けて予期せず衝突し、破損する危険性を減少させることができる。
【００３５】
この考案におけるズームレンズは、第２レンズセット２と第３レンズセット３を移動させて位置を変化させ、焦点の変更を行う。同時に第４レンズセット４の位置を調整して焦点の変更によって発生する結像面の移動を補償する。よって、この発明によるズームレンズは、図１に開示する長焦点距離（Long Focal Length）形態の望遠モードの撮影状態から、図２に開示する中焦点距離(Middle Focal Length)形態の一般撮影状態に転換し、更に図３に開示する短焦点距離(Short Focal Length)形態の近距離広角撮影状態に転換することができる。
【００３６】
この発明によるズームレンズは、使用するレンズの数が少なく、且つ構造が緊密であり、内部焦点変更方式を採用する。その全長は２０ｍｍ前後に到るまで縮小することができる。よってこの発明によるズームレンズは、撮影機能を有する携帯電話機、もしくはサイズが微小なディジタルカメラに適する。
【００３７】
この発明によるズームレンズは、次の式１に掲げる関係式を満足させるものである。
＜式１＞
【数５】
2007047783.tif 000007
【００３８】
上述する式１において、Ｆ１２Ｔは望遠(Long Focal Length
Extremity)の形態における第１レンズセット１と、第２レンズセット２との合成焦点距離であって、Ｆ３は第３レンズセット３の焦点距離である。第３レンズセット３のフォーカスパワーが徐々に大きくなると、Ｆ３が小さくなり、式１の上限を超えると、レンズの後焦点距離(Back Focal Length)が不足し、焦点調整、もしくはガラスカバー６を設ける空間に影響を与える。また、第３レンズセット３のフォーカスパワーが徐々に小さくなると、Ｆ３が大きくなり、式１の下限を超過すると光学システムの全長(Total Track)が増加する。
【００３９】
この発明によるズームレンズは、次の式２に掲げる関係式を満足させるものである。
＜式２＞
【数６】
2007047783.tif 000008
【００４０】
上述する式２において、Ｆ４は第４レンズセット４の焦点距離であって、Ｆ３は第３レンズセット３の焦点距離である。第４レンズセット４のフォーカスパワーが徐々に小さくなるとＦ４が大きくなり、式２の上限を超えると、テレセントリック系(Telecentricity)を破壊し、全長が長くなる。第４レンズセットのフォーカスパワーが徐々に大きくなると、Ｆ４が小さくなり、式２の下限を超過するとレンズの後焦点距離が不足する。
【００４１】
この発明によるズームレンズは、次の式３に掲げる関係式を満足させるものである。
＜式３＞
【数７】
2007047783.tif 000009
【００４２】
上述の式３におけるＲ１２は、Ｒ１２面の曲率半径(Radius of
Curvature)を表し、ＴＴは光学システムの全長を表す。Ｒ１２が徐々に大きくなり、式３の上限を超した場合、必要とする結像高度を達成しようとすれば、光学システムの全長を増加しなければならない。Ｒ１２が徐々に小さくなり、式３の下限を超すとコマの補正が難しくなる。
【００４３】
この発明によるズームレンズは、次の式に掲げる関係式４を満足させるものである。
＜式４＞
【数８】
2007047783.tif 000010
【００４４】
上述の式４におけるＲ３は、Ｒ３面の曲率半径(Radius of Curvature)を表し、ＴＴは光学システムの全長を表す。Ｒ３が徐々に大きくなり、式４の上限を超した場合、広角におけるコマ、及び非点収差の補正が難しくなる。Ｒ３が徐々に小さくなり、式４の下限を超すと、同様に広角における非点収差の補正が難しくなる。
【００４５】
この発明によるズームレンズは、第１レンズセットから第４レンズセットのそれぞれにおいて、少なくとも一以上の非球面を含む。よって、ズームレンズは好ましい収差補正作用を有する。球面レンズを採用した場合、十分な長さの空間を形成してハイブリッドレンズを設け、焦点変更の場合に発生する収差を補正しなければならない。但し、この発明においては非球面レンズを採用するため、使用するレンズの数を減少させ、ズームレンズの全長を縮小することができる。これら非球面を次に掲げる式５に表す。
【００４６】
＜式５＞
【数９】
2007047783.tif 000011
【００４７】
上述する式５におけるｚは、光軸の方向に沿って高さをｈとする位置において、表面頂点を参考距離とした光軸のシフト値を表す。ｋはテーパーの常量を表し、ｃ＝１／ｒ，ｒである。ｒは近軸の曲率半径を表し、Ａ、Ｂ、Ｃ、Ｄ、Ｅ、Ｆ、Ｇは、ハイレベル非球面計数を表す。
【００４８】
上述する本発明の技術内容によれば、次に掲げる数値に基づいて具体的に実施することができる。
＜実例１＞
【表１】
2007047783.tif 000012
【００４９】
上述する数値に基づいて実施するズームレンズの各項パラメータを次に開示する。
【表２】
2007047783.tif 000013
【００５０】
図１から図４に開示するように、上述する実例１に基づいて実施するズームは、それぞれのレンズセットにおける表面Ｒ１、Ｒ２、Ｒ５、Ｒ７、Ｒ１２、Ｒ１３、Ｒ１４がいずれも非球面である。それぞれの非球面係数の具体的な数値は次に掲げる通りである。
＜表面Ｒ１＞
Ａ  ： −０．００７４４８８１０６
Ｂ  ： ０．０００７７８４４７３８
Ｃ  ： −４．５８７２８０６ｅ−００５
Ｄ  ： １．４０３０６９７ｅ−００６
Ｅ  ： −１．６７８３５６５ｅ−００８
Ｆ  ： ０
Ｇ  ： ０
＜表面Ｒ２＞
Ａ  ： −０．００８６５５１５７９
Ｂ  ： ０．０００７８１３７７７６
Ｃ  ： −４．０８９４３０４ｅ−００６
Ｄ  ： −４．８３３５２２３ｅ−００６
Ｅ  ： ２．４６３６５７１ｅ−００７
Ｆ  ： ０
Ｇ  ： ０
＜表面Ｒ５＞
Ａ  ： ０．００１４５０２４２７
Ｂ  ： ３．９８８０６７７ｅ−００５
Ｃ  ： ５．１３６１３９ｅ−００６
Ｄ  ： １．９４９８２５１ｅ−００６
Ｅ  ： −２．０３４８９６５ｅ−００７
Ｆ  ： ０
Ｇ  ： ０
＜表面Ｒ７＞
Ａ  ： −０．０００８７６７１８６６
Ｂ  ： −０．０００２６８２７４１７
Ｃ  ： ３．６３８７２２２ｅ−００５
Ｄ  ： −２．９４６８５０２ｅ−００５
Ｅ  ： ５．４９８９２４５ｅ−００６
Ｆ  ： ０
Ｇ  ： ０
＜表面Ｒ１２＞
Ａ  ： ０．０１７３７６５８２
Ｂ  ： ０．００１３４７３５１６
Ｃ  ： ０．０００２１８８６５４５
Ｄ  ： ６．７７４８５０２ｅ−００５
Ｅ  ： −７．７８０８９２９ｅ−００６
Ｆ  ： ０
Ｇ  ： ０
＜表面Ｒ１３＞
Ａ  ： −０．００３２９０３０３６
Ｂ  ： ０．０００４０９７７１５６
Ｃ  ： −４．３１７６４１１ｅ−００５
Ｄ  ： −３．１６１８５５ｅ−００６
Ｅ  ： ４．０４８６２７８ｅ−００７
Ｆ  ： ０
Ｇ  ： ０
＜表面Ｒ１４＞
Ａ  ： ０．０００７９１４８７２５
Ｂ  ： −０．０００２１７４１６６２
Ｃ  ： ７．０６３０４８ｅ−００５
Ｄ  ： −１．２２３０５９４ｅ−００５
Ｅ  ： ６．２８２５９６３ｅ−００７
Ｆ  ： ０
Ｇ  ： ０
【００５１】
上述する実施例１に基づいて実施するズームレンズは、対応するそれぞれの性能パラメータであるＦ１２Ｔ／Ｆ３、Ｆ４／Ｆ３、Ｒ１２／ＴＴ及びＲ３／ＴＴの数値が前述する式１、式２、式３、式４の数値の範囲に符合する。例えば、図５から図１６に開示する内容は、上述する実例１に基づいて実施するズームレンズの長焦点距離、中焦点距離、短焦点距離の状態における縦方向の収差、横方向の色収差、像面湾曲、ディストーションの表現図であって、実例１に基づいて実施するこの発明のズームレンズが備える好ましい光学的性能を表わすものである。
【００５２】
この発明によるズームレンズは、次に掲げる実例２によっても実施することができる。
＜実例２＞
【表３】
2007047783.tif 000014
【００５３】
上述する数値に基づいて実施するズームレンズの各項パラメータを次に開示する。
【表４】
2007047783.tif 000015
【００５４】
図１及び図１７に開示するように、上述する実例２に基づいて実施するズームレンズは、それぞれのレンズセットにおける表面Ｒ１、Ｒ２、Ｒ５、Ｒ７、Ｒ１２、Ｒ１３、Ｒ１４がいずれも非球面である。それぞれの非球面係数の具体的な数値は次に掲げる通りである。
＜表面Ｒ１＞
Ａ  ： −０．００７４８５６４１６
Ｂ  ： ０．０００７８９７７４６６
Ｃ  ： −４．７２２４０９５ｅ−００５
Ｄ  ： １．５１０００８７ｅ−００６
Ｅ  ： −１．９１８５４ｅ−００８
Ｆ  ： ０
Ｇ  ： ０
＜表面Ｒ２＞
Ａ  ： −０．００７３９２９２４７
Ｂ  ： ０．０００７４６３２９６
Ｃ  ： −１．９１１４６８５ｅ−００５
Ｄ  ： −２．３８４６０５３ｅ−００６
Ｅ  ： １．５１５７４８２ｅ−００７
Ｆ  ： ０
Ｇ  ： ０
＜表面Ｒ５＞
Ａ  ： ０．００１８２０９７２
Ｂ  ： ０．０００１２５５１９６３
Ｃ  ： −９．０７０４９１４ｅ−００６
Ｄ  ： １．９４２１９３１ｅ−００６
Ｅ  ： −１．７６４２４４４ｅ−００７
Ｆ  ： ０
Ｇ  ： ０
＜表面Ｒ７＞
Ａ  ： −０．００２３１６５４６１
Ｂ  ： ０．０００６４１０７３４１
Ｃ  ： −０．００１０１３４６８１
Ｄ  ： ０．０００３９２６８７８５
Ｅ  ： −６．０９７８９５８ｅ−００５
Ｆ  ： ０
Ｇ  ： ０
＜表面Ｒ１２＞
Ａ  ： ０．０２４５５０３８５
Ｂ  ： ０．００２８８００５８４
Ｃ  ： −０．００１８２９６１８３
Ｄ  ： ０．０００９７９６９６１８
Ｅ  ： −０．０００１３７８１２２４
Ｆ  ： ０
Ｇ  ： ０
＜表面Ｒ１３＞
Ａ  ： −０．００３０６２７１１４
Ｂ  ： ０．０００３８６２６３２６
Ｃ  ： −２．３２６４９１ｅ−００５
Ｄ  ： −７．２３７１１８７ｅ−００６
Ｅ  ： ６．４７２３５７９ｅ−００７
Ｆ  ： ０
Ｇ  ： ０
＜表面Ｒ１４＞
Ａ  ： ０．０００９７３７２２９４
Ｂ  ： −０．０００２４８５４７９９
Ｃ  ： ７．１４４９４５５ｅ−００５
Ｄ  ： −１．２２４６８９３ｅ−００５
Ｅ  ： ６．１１１７３９７ｅ−００７
Ｆ  ： ０
Ｇ  ： ０
【００５５】
上述する実例２に基づいて実施するズームレンズは、対応するそれぞれの性能パラメータであるＦ１２Ｔ／Ｆ３、Ｆ４／Ｆ３、Ｒ１２／ＴＴ及びＲ３／ＴＴの数値が前述する式１、式２、式３、式４の数値の範囲に符合する。例えば、図１８から図２９に開示する内容は、上述する実例２に基づいて実施するズームレンズの長焦点距離、中焦点距離、短焦点距離の状態における縦方向の収差、横方向の色収差、像面湾曲、ディストーションの表現図であって、実例２に基づいて実施するこの発明のズームレンズが備える好ましい光学的性能を表わすものである。
【００５６】
この発明によるズームレンズは、次に掲げる実例３によっても実施することができる。
＜実例３＞
【表５】
2007047783.tif 000016
【００５７】
上述する数値に基づいて実施するズームレンズの各項パラメータを次に開示する。
【表６】
2007047783.tif 000017
【００５８】
図１及び図３０に開示するように、上述する実例３に基づいて実施するズームレンズは、それぞれのレンズセットにおける表面Ｒ１、Ｒ２、Ｒ５、Ｒ７、Ｒ１２、Ｒ１３、Ｒ１４がいずれも非球面である。それぞれの非球面係数の具体的な数値は次に掲げる通りである。
＜表面Ｒ１＞
Ａ  ： −０．００７０２５５２４７
Ｂ  ： ０．０００７６８６５３１１
Ｃ  ： −４．７４１６５７８ｅ−００５
Ｄ  ： １．５９０５８３４ｅ−００６
Ｅ  ： −２．１４０４９０４ｅ−００８
Ｆ  ： ０
Ｇ  ： ０
＜表面Ｒ２＞
Ａ  ： −０．００６４０１７８７
Ｂ  ： ０．０００７１６６９５０２
Ｃ  ： −２．４７６０２８３ｅ−００５
Ｄ  ： −１．７８６５７４３ｅ−００６
Ｅ  ： １．４４２７８６８ｅ−００７
Ｆ  ： ０
Ｇ  ： ０
＜表面Ｒ５＞
Ａ  ： ０．００１８３６６１８９
Ｂ  ： ６．８１４２１９２ｅ−００５
Ｃ  ： ８．５１０３６２９ｅ−００６
Ｄ  ： ０
Ｅ  ： −１．１６４０４８ｅ−００７
Ｆ  ： ０
Ｇ  ： ０
＜表面Ｒ７＞
Ａ  ： −０．００２５５５０２８
Ｂ  ： ０．０００８８６８３３８
Ｃ  ： −０．００１２５６６１６４
Ｄ  ： ０．０００５２０３７８３９
Ｅ  ： −８．６５６４７９２ｅ−００５
Ｆ  ： ０
Ｇ  ： ０
＜表面Ｒ１２＞
Ａ  ： ０．０２５４５０２５
Ｂ  ： ０．００３８９２１９７９
Ｃ  ： −０．００２７０５６０６
Ｄ  ： ０．００１２４０１１８３
Ｅ  ： −０．０００１５０５５９２５
Ｆ  ： ０
Ｇ  ： ０
＜表面Ｒ１３＞
Ａ  ： −０．００２８１３１６２６
Ｂ  ： ０．０００２７０８６９４５
Ｃ  ： ５．３９００８７３ｅ−００６
Ｄ  ： −７．２７６３９０８ｅ−００６
Ｅ  ： ５．４０１５４４５ｅ−００７
Ｆ  ： ０
Ｇ  ： ０
＜表面Ｒ１４＞
Ａ  ： ０．００１２７７５５６９
Ｂ  ： −０．０００２９９０４６５６
Ｃ  ： ９．４７４２５５２ｅ−００５
Ｄ  ： −１．４３６３９７９ｅ−００５
Ｅ  ： ７．０２８６６２５ｅ−００７
Ｆ  ： ０
Ｇ  ： ０
【００５９】
上述する実例３に基づいて実施するズームレンズは、対応するそれぞれの性能パラメータであるＦ１２Ｔ／Ｆ３、Ｆ４／Ｆ３、Ｒ１２／ＴＴ及びＲ３／ＴＴの数値が前述する式１、式２、式３、式４の数値の範囲に符合する。例えば、図３１から図４２に開示する内容は、上述する実例３に基づいて実施するズームレンズの長焦点距離、中焦点距離、短焦点距離の状態における縦方向の収差、横方向の色収差、像面湾曲、ディストーションの表現図であって、実例３に基づいて実施するこの発明のズームレンズが備える好ましい光学的性能を表わすものである。
【００６０】
この発明によるズームレンズは、次に掲げる実例４によっても実施することができる。
＜実例４＞
【表７】
2007047783.tif 000018
【００６１】
上述する数値に基づいて実施するズームレンズの各項パラメータを次に開示する。
【表８】
2007047783.tif 000019
【００６２】
図１及び図４３に開示するように、上述する実例４に基づいて実施するズームは、それぞれのレンズセットにおける表面Ｒ１、Ｒ２、Ｒ５、Ｒ７、Ｒ１２、Ｒ１３、Ｒ１４がいずれも非球面である。それぞれの非球面係数の具体的な数値は次に掲げる通りである。
＜表面Ｒ１＞
Ａ  ： −０．００８１６００３７３
Ｂ  ： ０．０００８２０２８９３６
Ｃ  ： −４．６７０１０４２ｅ−００５
Ｄ  ： １．４０１６５７１ｅ−００６
Ｅ  ： −１．６６４５１９４ｅ−００８
Ｆ  ： ０
Ｇ  ： ０
＜表面Ｒ２＞
Ａ  ： −０．００７８４２９０１９
Ｂ  ： ０．０００７７２２９６９５
Ｃ  ： −１．８０３２４６１ｅ−００５
Ｄ  ： −２．２５７５６５９ｅ−００６
Ｅ  ： １．２５１５９６７ｅ−００７
Ｆ  ： ０
Ｇ  ： ０
＜表面Ｒ５＞
Ａ  ： ０．００１３９５３１４３
Ｂ  ： ０．０００２２１９６７０８
Ｃ  ： −４．９１５６４０６ｅ−００５
Ｄ  ： ７．９９３６９７３ｅ−００６
Ｅ  ： −４．７２２７９０２ｅ−００７
Ｆ  ： ０
Ｇ  ： ０
＜表面Ｒ７＞
Ａ  ： −０．００２４６１２６０２
Ｂ  ： ０．０００４３１５４６８２
Ｃ  ： −０．０００４５０１０２７８
Ｄ  ： ４．７０８６８５５ｅ−００５
Ｅ  ： ７．８４４３３１１ｅ−００６
Ｆ  ： ０
Ｇ  ： ０
＜表面Ｒ１２＞
Ａ  ： ０．０２６９２８６９２
Ｂ  ： ０．００３１５４７３７６
Ｃ  ： −０．００２９６０７８１８
Ｄ  ： ０．００１３６２６９７７
Ｅ  ： −０．０００１８６０８５６５
Ｆ  ： ０
Ｇ  ： ０
＜表面Ｒ１３＞
Ａ  ： −０．００３０９２８６７１
Ｂ  ： ０．０００３２８５６９４２
Ｃ  ： −１．６５８９４５５ｅ−００５
Ｄ  ： −７．１３４５９８９ｅ−００６
Ｅ  ： ６．３８０３４４７ｅ−００７
Ｆ  ： ０
Ｇ  ： ０
＜表面Ｒ１４＞
Ａ  ： ０．０００６６７５４３４１
Ｂ  ： −８．８５７３６ｅ−００５
Ｃ  ： ５．７５２７２６７ｅ−００５
Ｄ  ： −１．３１４０８２６ｅ−００５
Ｅ  ： ７．３９１５６８３ｅ−００７
Ｆ  ： ０
Ｇ  ： ０
【００６３】
上述する実施例４に基づいて実施するズームレンズは、対応するそれぞれの性能パラメータであるＦ１２Ｔ／Ｆ３、Ｆ４／Ｆ３、Ｒ１２／ＴＴ及びＲ３／ＴＴの数値が前述する式１、式２、式３、式４の数値の範囲に符合する。例えば、図４４から図５５に開示する内容は、上述する実例４に基づいて実施するズームレンズの長焦点距離、中焦点距離、短焦点距離の状態における縦方向の収差、横方向の色収差、像面湾曲、ディストーションの表現図であって、実例１に基づいて実施するこの発明のズームレンズが備える好ましい光学的性能を表わすものである。
【００６４】
この発明によるズームレンズは、屈折率が負、正、正、正である四種類のレンズセットによって構成し、第１レンズセット、及び結像面の位置を固定して変化させず、第２、第３レンズセットの位置を変更して焦点変更の目的を達成する。また、第４レンズセットの位置を移動させて、焦点の変更によって発生する結像面の移動を補償し、はっきりとした画像が得られるよう確保する。また、ズームレンズ全体で使用するレンズの数が少なく、構造が緊密であるため、サイズを２０ｍｍ前後に縮小することができ、光学的焦点変更は三倍近くまで達成することができる。しかもこのように全長が短いという条件下にあっても、十分な後焦点距離を備える。更に、非球面レンズを使用することによって、収差を効率よく補償でき、画像の好ましい品質を確保することができる。
【００６５】
以上はこの発明の好ましい実施例であって、この発明の実施の範囲を限定するものではない。よって、当業者のなし得る変更、もしくは修正であって、この発明の精神の下においてなされ、この発明に対して均等の効果を有するものは、いずれもこの発明の特許請求の範囲に属するものとする。
【図面の簡単な説明】
【００６６】
【図１】本発明によるズームレンズであって、長焦点距離の状態における光学的構造を示した説明図である。
【図２】本発明によるズームレンズであって、中焦点距離の状態における光学的構造を示した説明図である。
【図３】本発明によるズームレンズであって、短焦点距離の状態における光学的構造を示した説明図である。
【図４】実例１に基づいて実施したズームレンズの光学的構造を示した説明図である。
【図５】実例１に基づいて実施したズームレンズであって、長焦点距離の状態における縦方向の収差表現図である。
【図６】実例１に基づいて実施したズームレンズであって、長焦点距離の状態における横方向の色収差表現図である。
【図７】実例１に基づいて実施したズームレンズであって、長焦点距離の状態における像面湾曲図の表現図である。
【図８】実例１に基づいて実施したズームレンズであって、長焦点距離の状態におけるディストーションの表現図である。
【図９】実例１に基づいて実施したズームレンズであって、中焦点距離の状態における縦方向の収差表現図である。
【図１０】実例１に基づいて実施したズームレンズであって、中焦点距離の状態における横方向の色収差表現図である。
【図１１】実例１に基づいて実施したズームレンズであって、中焦点距離の状態における像面湾曲図の表現図である。
【図１２】実例１に基づいて実施したズームレンズであって、中焦点距離の状態におけるディストーションの表現図である。
【図１３】実例１に基づいて実施したズームレンズであって、短焦点距離の状態における縦方向の収差表現図である。
【図１４】実例１に基づいて実施したズームレンズであって、短焦点距離の状態における横方向の色収差表現図である。
【図１５】実例１に基づいて実施したズームレンズであって、短焦点距離の状態における像面湾曲図の表現図である。
【図１６】実例１に基づいて実施したズームレンズであって、短焦点距離の状態におけるディストーションの表現図である。
【図１７】実例２に基づいて実施したズームレンズの光学的構造を示した説明図である。
【図１８】実例２に基づいて実施したズームレンズであって、長焦点距離の状態における縦方向の収差表現図である。
【図１９】実例２に基づいて実施したズームレンズであって、長焦点距離の状態における横方向の色収差表現図である。
【図２０】実例２に基づいて実施したズームレンズであって、長焦点距離の状態における像面湾曲図の表現図である。
【図２１】実例２に基づいて実施したズームレンズであって、長焦点距離の状態におけるディストーションの表現図である。
【図２２】実例２に基づいて実施したズームレンズであって、中焦点距離の状態における縦方向の収差表現図である。
【図２３】実例２に基づいて実施したズームレンズであって、中焦点距離の状態における横方向の色収差表現図である。
【図２４】実例２に基づいて実施したズームレンズであって、中焦点距離の状態における像面湾曲図の表現図である。
【図２５】実例２に基づいて実施したズームレンズであって、中焦点距離の状態におけるディストーションの表現図である。
【図２６】実例２に基づいて実施したズームレンズであって、短焦点距離の状態における縦方向の収差表現図である。
【図２７】実例２に基づいて実施したズームレンズであって、短焦点距離の状態における横方向の色収差表現図である。
【図２８】実例２に基づいて実施したズームレンズであって、短焦点距離の状態における像面湾曲図の表現図である。
【図２９】実例２に基づいて実施したズームレンズであって、短焦点距離の状態におけるディストーションの表現図である。
【図３０】実例３に基づいて実施したズームレンズの光学的構造を示した説明図である。
【図３１】実例３に基づいて実施したズームレンズであって、長焦点距離の状態における縦方向の収差表現図である。
【図３２】実例３に基づいて実施したズームレンズであって、長焦点距離の状態における横方向の色収差表現図である。
【図３３】実例３に基づいて実施したズームレンズであって、長焦点距離の状態における像面湾曲図の表現図である。
【図３４】実例３に基づいて実施したズームレンズであって、長焦点距離の状態におけるディストーションの表現図である。
【図３５】実例３に基づいて実施したズームレンズであって、中焦点距離の状態における縦方向の収差表現図である。
【図３６】実例３に基づいて実施したズームレンズであって、中焦点距離の状態における横方向の色収差表現図である。
【図３７】実例３に基づいて実施したズームレンズであって、中焦点距離の状態における像面湾曲図の表現図である。
【図３８】実例３に基づいて実施したズームレンズであって、中焦点距離の状態におけるディストーションの表現図である。
【図３９】実例３に基づいて実施したズームレンズであって、短焦点距離の状態における縦方向の収差表現図である。
【図４０】実例３に基づいて実施したズームレンズであって、短焦点距離の状態における横方向の色収差表現図である。
【図４１】実例３に基づいて実施したズームレンズであって、短焦点距離の状態における像面湾曲図の表現図である。
【図４２】実例３に基づいて実施したズームレンズであって、短焦点距離の状態におけるディストーションの表現図である。
【図４３】実例４に基づいて実施したズームレンズの光学的構造を示した説明図である。
【図４４】実例４に基づいて実施したズームレンズであって、長焦点距離の状態における縦方向の収差表現図である。
【図４５】実例４に基づいて実施したズームレンズであって、長焦点距離の状態における横方向の色収差表現図である。
【図４６】実例４に基づいて実施したズームレンズであって、長焦点距離の状態における像面湾曲図の表現図である。
【図４７】実例４に基づいて実施したズームレンズであって、長焦点距離の状態におけるディストーションの表現図である。
【図４８】実例４に基づいて実施したズームレンズであって、中焦点距離の状態における縦方向の収差表現図である。
【図４９】実例４に基づいて実施したズームレンズであって、中焦点距離の状態における横方向の色収差表現図である。
【図５０】実例４に基づいて実施したズームレンズであって、中焦点距離の状態における像面湾曲図の表現図である。
【図５１】実例４に基づいて実施したズームレンズであって、中焦点距離の状態におけるディストーションの表現図である。
【図５２】実例４に基づいて実施したズームレンズであって、短焦点距離の状態における縦方向の収差表現図である。
【図５３】実例４に基づいて実施したズームレンズであって、短焦点距離の状態における横方向の色収差表現図である。
【図５４】実例４に基づいて実施したズームレンズであって、短焦点距離の状態における像面湾曲図の表現図である。
【図５５】実例４に基づいて実施したズームレンズであって、短焦点距離の状態におけるディストーションの表現図である。
【符号の説明】
【００６７】
１            第１レンズセット
１０          集光レンズ
２            第２レンズセット
２０          ハイブリッドレンズ
３            第３レンズセット
３０          接合レンズ
３０１        凸レンズ
３０２        凹レンズ
３１          プラスチックレンズ
３２          ハイブリッド樹脂層
４            第４レンズセット
４１          プラスチックレンズ
５            ダイヤフラム
６            ガラスカバー
Ｒ１〜Ｒ１５  表面
【図１】
2007047783.tif 000024
【図２】
2007047783.tif 000025
【図３】
2007047783.tif 000026
【図４】
2007047783.tif 000027
【図５】
2007047783.tif 000028
【図６】
2007047783.tif 000029
【図７】
2007047783.tif 000030
【図８】
2007047783.tif 000031
【図９】
2007047783.tif 000032
【図１０】
2007047783.tif 000033
【図１１】
2007047783.tif 000034
【図１２】
2007047783.tif 000035
【図１３】
2007047783.tif 000036
【図１４】
2007047783.tif 000037
【図１５】
2007047783.tif 000038
【図１６】
2007047783.tif 000039
【図１７】
2007047783.tif 000040
【図１８】
2007047783.tif 000041
【図１９】
2007047783.tif 000042
【図２０】
2007047783.tif 000043
【図２１】
2007047783.tif 000044
【図２２】
2007047783.tif 000045
【図２３】
2007047783.tif 000046
【図２４】
2007047783.tif 000047
【図２５】
2007047783.tif 000048
【図２６】
2007047783.tif 000049
【図２７】
2007047783.tif 000050
【図２８】
2007047783.tif 000051
【図２９】
2007047783.tif 000052
【図３０】
2007047783.tif 000053
【図３１】
2007047783.tif 000054
【図３２】
2007047783.tif 000055
【図３３】
2007047783.tif 000056
【図３４】
2007047783.tif 000057
【図３５】
2007047783.tif 000058
【図３６】
2007047783.tif 000059
【図３７】
2007047783.tif 000060
【図３８】
2007047783.tif 000061
【図３９】
2007047783.tif 000062
【図４０】
2007047783.tif 000063
【図４１】
2007047783.tif 000064
【図４２】
2007047783.tif 000065
【図４３】
2007047783.tif 000066
【図４４】
2007047783.tif 000067
【図４５】
2007047783.tif 000068
【図４６】
2007047783.tif 000069
【図４７】
2007047783.tif 000070
【図４８】
2007047783.tif 000071
【図４９】
2007047783.tif 000072
【図５０】
2007047783.tif 000073
【図５１】
2007047783.tif 000074
【図５２】
2007047783.tif 000075
【図５３】
2007047783.tif 000076
【図５４】
2007047783.tif 000077
【図５５】
2007047783.tif 000078